(57)【要約】【課題】  金額データと有効期限とを記録した料金精算用の記録媒体の使い勝手を良くする。【解決手段】  料金精算装置は、有効期限に金額データを対応させた金額・有効期限データが複数記録された記録媒体Ｐから各々の金額・有効期限データを読取ることと、複数の前記金額・有効期限データを記録した記録媒体Ｐを作成することとを実行可能なリーダライタ１７と、有効期限が先に来る金額・有効期限データの金額が料金に対して不足しているときは、その不足分を有効期限が後に来る金額・有効期限データの金額で精算し、その精算に用いた金額・有効期限データの金額を、精算前の金額から前記不足分を減算した残金額に更新し、且つ前記有効期限が先に来る金額・有効期限データの金額をゼロに更新した記録媒体Ｐを作成するようリーダライタ１７を制御する精算制御手段２８とを備える。【選択図】  図６
2005044290.tif 000002
【特許請求の範囲】
【請求項１】
金額データを記録した記録媒体を用いる料金精算装置であって、その記録媒体に金額データとして記録されている金額に有効期限があるものにおいて、
有効期限に金額データを対応させた金額・有効期限データが複数記録された記録媒体から各々の金額・有効期限データを読取ることと、複数の前記金額・有効期限データを記録した記録媒体を作成することとを実行可能なリーダライタと、
有効期限が先に来る金額・有効期限データの金額が料金に対して不足しているときは、その不足分を有効期限が後に来る金額・有効期限データの金額で精算し、その精算に用いた金額・有効期限データの金額を、精算前の金額から前記不足分を減算した残金額に更新し、且つ前記有効期限が先に来る金額・有効期限データの金額をゼロに更新した記録媒体を作成するように前記リーダライタを制御する精算制御手段とを備えたことを特徴とした、料金精算装置。
【請求項２】
金額データを記録した記録媒体を用いる料金精算装置であって、その記録媒体に金額データとして記録されている金額に有効期限があるものにおいて、
有効期限に金額データを対応させた金額・有効期限データが複数記録された記録媒体から各々の金額・有効期限データを読取ることと、複数の前記金額・有効期限データを記録した記録媒体を作成することとを実行可能なリーダライタと、
有効期限が先に来る金額が料金に対して不足していないときは、該先に来る金額で前記料金を精算し、また有効期限が先に来る金額が前記料金に対して不足しているときは、該先に来る金額で前記料金を精算し且つその不足分を有効期限が後に来る金額で精算し、前記各精算に用いた金額・有効期限データの金額を精算後の残金額に更新した記録媒体を作成するよう前記リーダライタを制御する精算制御手段とを備えたことを特徴とした、料金精算装置。
【請求項３】
請求項１又は２に記載された料金精算装置を備えた洗車機であって、その料金精算装置で洗車料金を精算することを特徴とする洗車機。
【請求項４】
金額データを記録した記録媒体を発行する記録媒体発行装置であって、その記録媒体に金額データとして記録されている金額に有効期限があるものにおいて、
有効期限に金額データを対応させた金額・有効期限データを記録媒体から読取ることと、前記金額・有効期限データを記録した記録媒体を作成することとを実行可能なリーダライタと、
新たな入金額を入力する入金額入力手段と、
前記リーダライタで読み取った金額・有効期限データと、前記入金額入力手段で入力された入金額に有効期限を付加した金額・有効期限データとを１個の記録媒体に記録するよう前記リーダライタを制御する記録制御手段とを備えたことを特徴とした、記録媒体発行装置。
【請求項５】
前記記録媒体は、洗車機において洗車料金を精算するのに用いることを特徴とする、請求項４に記載の記録媒体発行装置。
【請求項６】
料金を精算する料金精算装置に用いられる金額データを記録した記録媒体であって、その記録媒体に金額データとして記録されている金額に有効期限があるものにおいて、
有効期限に金額データを対応させた金額・有効期限データが複数記録されていることを特徴とした、記録媒体。
【請求項７】
洗車機において洗車料金を精算するのに用いることを特徴とする、請求項６に記載の記録媒体。
【発明の詳細な説明】
【技術分野】
【０００１】
本発明は、金額データと有効期限とを記録した記録媒体、その記録媒体を発行する記録媒体発行装置、前記記録媒体を用いる料金精算装置および洗車機に関する。
【背景技術】
【０００２】
従来、金額データと有効期限とを記録したプリペイドカード（記録媒体）を用いる洗車機において、プリペイドカードに記録されている金額が洗車料金に対して不足する場合に、新しいプリペイドカードで不足分を支払うことは、知られている（下記の特許文献１を参照）。
【特許文献１】特開平１−２５５０８８号公報
【発明の開示】
【発明が解決しようとする課題】
【０００３】
ところが上記従来の洗車機は、プリペイドカードに記録されている金額が洗車料金に対して不足する場合に、新しいプリペイドカードで不足分を支払うときは、２枚のプリペイドカードが必要であって、予備のプリペイドカードを用意する手間と時間が必要である上、その２枚のプリペイドカードを所定の手順でリーダライタに挿入しなければならないために取り扱い操作が判りにくく、全体としてプリペイドカードを利用する使い勝手が悪い問題があった。また、２枚のプリペイドカードをリーダライタに順次に挿入しなければならないため、洗車料金を精算するための時間が長くなり、洗車の総所要時間（即ち、洗車機の実働時間としての洗車時間に、洗車料金を精算するための時間等を加算した時間）が長くなってしまう問題もあった。
【０００４】
また、洗車機に限らず、プリペイドカード等の記録媒体を用いて種々の料金精算を行う料金精算装置においても、上記洗車機の場合と同様、記録媒体の使い勝手が悪い、料金精算の時間が長くなるといった問題は発生する。
【０００５】
本発明は、上記に鑑み提案されたものであって、金額データと有効期限とを記録した記録媒体の使い勝手をよくすることを第１の目的とし、また上記問題を解決することができる洗車機および料金精算装置を提供することを第２の目的とする。
【課題を解決するための手段】
【０００６】
上記目的を達成するために、請求項１の発明は、金額データを記録した記録媒体を用いる料金精算装置であって、その記録媒体に金額データとして記録されている金額に有効期限があるものにおいて、有効期限に金額データを対応させた金額・有効期限データが複数記録された記録媒体から各々の金額・有効期限データを読取ることと、複数の前記金額・有効期限データを記録した記録媒体を作成することとを実行可能なリーダライタと、有効期限が先に来る金額・有効期限データの金額が料金に対して不足しているときは、その不足分を有効期限が後に来る金額・有効期限データの金額で精算し、その精算に用いた金額・有効期限データの金額を、精算前の金額から前記不足分を減算した残金額に更新し、且つ前記有効期限が先に来る金額・有効期限データの金額をゼロに更新した記録媒体を作成するように前記リーダライタを制御する精算制御手段とを備えたことを特徴とする。
【０００７】
また請求項２の発明は、金額データを記録した記録媒体を用いる料金精算装置であって、その記録媒体に金額データとして記録されている金額に有効期限があるものにおいて、有効期限に金額データを対応させた金額・有効期限データが複数記録された記録媒体から各々の金額・有効期限データを読取ることと、複数の前記金額・有効期限データを記録した記録媒体を作成することとを実行可能なリーダライタと、有効期限が先に来る金額が料金に対して不足していないときは、該先に来る金額で前記料金を精算し、また有効期限が先に来る金額が前記料金に対して不足しているときは、該先に来る金額で前記料金を精算し且つその不足分を有効期限が後に来る金額で精算し、前記各精算に用いた金額・有効期限データの金額を精算後の残金額に更新した記録媒体を作成するよう前記リーダライタを制御する精算制御手段とを備えたことを特徴とする。
【０００８】
また請求項３の発明は、請求項１又は２に記載された料金精算装置を備えた洗車機であって、その料金精算装置で洗車料金を精算することを特徴とする。
【０００９】
また請求項４の発明は、金額データを記録した記録媒体を発行する記録媒体発行装置であって、その記録媒体に金額データとして記録されている金額に有効期限があるものにおいて、有効期限に金額データを対応させた金額・有効期限データを記録媒体から読取ることと、前記金額・有効期限データを記録した記録媒体を作成することとを実行可能なリーダライタと、新たな入金額を入力する入金額入力手段と、前記リーダライタで読み取った金額・有効期限データと、前記入金額入力手段で入力された入金額に有効期限を付加した金額・有効期限データとを１個の記録媒体に記録するよう前記リーダライタを制御する記録制御手段とを備えたことを特徴とする。
【００１０】
また請求項５の発明は、上記請求項４の特徴に加えて、前記記録媒体は、洗車機において洗車料金を精算するのに用いることを特徴とする。
【００１１】
請求項６の発明は、料金を精算する料金精算装置に用いられる金額データを記録した記録媒体であって、その記録媒体に金額データとして記録されている金額に有効期限があるものにおいて、有効期限に金額データを対応させた金額・有効期限データが複数記録されていることを特徴とする。
【００１２】
また請求項７の発明は、上記請求項６の特徴に加えて、洗車機において洗車料金を精算するのに用いることを特徴とする。
【発明の効果】
【００１３】
以上のように本発明によれば、従来は複数の記録媒体を用いて行っていたデータ（金額・有効期限）の管理を１つの記録媒体で纏めて行うことが可能となるので、使用者は、従来のように複数の記録媒体を事前に準備したり或いは余分に持ち歩く必要がなく、その保管、管理が容易となり、しかも料金精算に当たり只１つの記録媒体を取り扱うだけで足りるため、その取り扱い操作が頗る簡便となり、それらの結果、金額データと有効期限とを記録した料金精算用記録媒体の使い勝手を良くすることができる。
【００１４】
また特に請求項２の発明によれば、上記効果に加えて、料金不足でない場合に、有効期限が先にくる金額・有効期限データの金額から料金精算が行われるので、有効期限が先にくる金額・有効期限データの金額（残高）を優先的に利用できる。
【００１５】
また特に請求項３，５，７の各発明によれば、上記効果に加えて、洗車料金を精算するための時間が長くなるのを防止できるので、洗車の総所要時間を短縮化する上で有利である。
【発明を実施するための最良の形態】
【００１６】
以下、本発明の実施の形態を、添付図面に示した本発明の実施例に基づいて以下に具体的に説明する。
【００１７】
添付図面において、図１は、本発明の実施例に係る洗車機を含む洗車エリアの全体平面図、図２は、前記洗車機の全体側面図、図３は、前記洗車機の洗車受付装置の操作パネルを示す拡大正面図、図４は、カード発行機の操作パネルを示す拡大正面図、図５は、プリペイドカードにおける磁気トラックの区割りを示す概略図、図６は、カード発行機でのカード発行・書換の処理手順の一例を示すフローチャート、図７は、洗車機の洗車受付のための処理手順の一例を示すフローチャートの第１分図、図８は、洗車機の洗車受付のための処理手順の一例を示すフローチャートの第２分図、図９及び図１０は、記録媒体としてのプリペイドカードの印字部分の印字例を示す正面図、図１１は、パソコンでのカード発行・書換の処理手順の一例を示すフローチャートである。
【００１８】
先ず、図１，図２において、洗車機の洗車機本体１は、車両としての自動車Ｖを跨ぎ得る門型フレーム２を備え、この門型フレーム２に設けられた左右一対の前車輪３，３および左右一対の後車輪４，４は、左右一対の走行レール５，５上を走行する。前車輪３，３には走行モータ６が連結され、この走行モータ６により門型フレーム２を走行レール５，５に沿って往復走行させることができる。
【００１９】
門型フレーム２には、洗浄手段としてのトップブラシ７及び左右一対のサイドブラシ８，８と、乾燥手段としてのトップノズル９及び左右一対のサイドノズル１０，１０と、図示しない洗浄水噴射手段とが設けられており、これら手段の作動は、従来普通の洗車機と同様である。
【００２０】
走行レール５，５の間には、自動車Ｖが所定の洗車位置Ｖ２にあるときの右前輪に対応してストッパー１１と光電センサー１２とが設けられている。光電センサー１２は、投光器１２ａと受光器１２ｂとから構成され、その構造、作用は従来公知である。尚、図１で一点鎖線１２ｃは光電センサー１２の光軸を表している。
【００２１】
そして、自動車Ｖの右前輪をストッパー１１に当てて停止させることにより、その自動車Ｖを所定の洗車位置Ｖ２に停止させることができるようになっている。
【００２２】
また、光電センサー１２は、自動車Ｖの右前輪が前記光軸１２ｃを遮るのを検知してその右前輪を検出することにより、自動車Ｖが所定の洗車位置Ｖ２に停止したことを検出できるようになっている。
【００２３】
走行レール５，５の前端の前方には、洗車受付装置１３が設置されており、その洗車受付装置１３のケーシング前面には操作パネル１４が設けられる。次に図３を併せて参照して、操作パネル１４の構成を具体的に説明する。
【００２４】
操作パネル１４には、その上部において紙幣挿入口１５ａ、硬貨挿入口１６ａ及びカード挿入口１７ａが横並びに配設され、またその下側において液晶パネル等からなる表示装置１８が、更にその下側において洗車コース選択装置１９が、更にその下側において、表示ランプ２２ａ，２３ａ，２４ａを各々有する領収書請求キー２２、スタートキー２３及びキャンセルキー２４がそれぞれ配設される。更に操作パネル１４の下部には、案内用音声出力孔２７ａと硬貨返却・領収書取出兼用口２６とが配設される。
【００２５】
前記洗車コース選択装置１９は、図示例では「シャンプー洗車」選択キー２０と、「ワックス洗車」選択キー２１とを備えており、その各々の選択キー２０，２１にもそれぞれランプ２０ａ，２１ａが付設される。そして、「シャンプー洗車」選択キー２０が選択操作されると、洗車機本体１の往復走行に伴い洗剤を用いた洗車が行われ、また「ワックス洗車」選択キー２１が選択操作されると、洗車機本体１の往復走行に伴いワックスを用いた洗車が行われる。
【００２６】
また洗車受付装置１３のケーシング内には、前記紙幣挿入口１５ａに挿入された紙幣を受け入れて計数する紙幣入金装置１５と、前記硬貨挿入口１６ａに挿入された硬貨を受け入れて計数する硬貨入金装置１６と、前記カード挿入口１７ａに挿入されたプリペイドカードＰに記録されているデータの読取りと同カードＰへのデータの書込みとを行うカードリーダライタ１７と、前記案内用音声出力孔２７ａに対応して案内用音声を発する内蔵スピーカ２７と、前記兼用口２６に対応して領収書を印刷して該口２６から排出し得るプリンタ２５とが配設される。前記カードリーダライタ１７は、未使用のプリペイドカードＰを収容する図示しないカード収容部を備えている。
【００２７】
前記プリペイドカードＰは、本発明の記録媒体を構成するものであって、その裏面にはデータ記録用の磁気トラックＧが形成され、またその表面には書換え可能な印字部Ｐａが形成されている。その磁気トラックＧには、金額データと有効期限データとを対応付けた「金額・有効期限データ」が、旧カード（即ち先に入金されたカード）分と、新カード（即ち後に入金されたカード）分の２セットをそれぞれ記録する区域が割り付けられている。即ち磁気トラックＧは、開始データ区域Ｚ１と、有効期限Ｄｓを記録する新カードの有効期限データ区域Ｚ２と、残高Ｂｓを記録する新カードの残高データ区域Ｚ３と、有効期限Ｄｋを記録する旧カードの有効期限データ区域Ｚ４と、残高Ｂｋを記録する旧カードの残高データ区域Ｚ５と、終了データ区域Ｚ６とを備えており、前記Ｚ２，Ｚ３で新カードの金額・有効期限データ区域Ｚｓが、また前記Ｚ４，Ｚ５で旧カードの金額・有効期限データ区域Ｚｋが構成される。
【００２８】
さらに洗車受付装置１３のケーシング内には、洗車受付け機能を果たすべく該受付装置１３の各部の作動を制御するための洗車受付制御装置２８が配設され、また洗車機本体１に設置された制御盤２９内には、洗車受付制御装置２８で受付けられた洗車コースを実行すべく所定の制御プログラムに基づいて前記洗浄手段７，８、乾燥手段９，１０及び洗浄水噴射手段の作動を制御するための洗車機本体制御装置３０が配設される。
【００２９】
前記洗車受付制御装置２８は、本発明の精算制御手段の機能を備えるものであって、旧カードの残高Ｂｋ（即ち有効期限が先に来る金額）が洗車料金Ｆに対して不足していない場合は、該旧カードの残高Ｂｋで洗車料金Ｆを精算し、また旧カードの残高Ｂｋ（即ち有効期限が先に来る金額）が洗車料金Ｆに対して不足している場合は、該旧カードの残高Ｂｋで洗車料金Ｆを精算し且つその不足分Ｓを新カードの残高Ｂｓ（即ち有効期限が後に来る金額）で精算し、前記各精算に用いた金額・有効期限データの金額を精算後の残金額に更新した（即ち前者の場合は、旧カードの残高Ｂｋを「更新前のＢｋ−Ｆ」に更新し、後者の場合は、旧カードの残高Ｂｋを「０」に、また新カードの残高Ｂｓを「更新前のＢｓ−Ｓ」にそれぞれ更新した）プリペイドカードＰを作成するようカードリーダライタ１７を制御する機能を果たすものであり、このような精算制御手段の機能は、図示例では洗車受付制御装置２８を構成するマイクロコンピュータにより果たされる。
【００３０】
また図１に示すように洗車機を管理運営する事務所７１内には、プリペイドカードＰの発行や同カードＰによる洗車の精算を行うパソコン７２が設置されており、そのパソコン７２の近くには、該パソコン７２と接続されていて該パソコン７２との信号の授受を行うカードリーダライタ７３が設置されている。このカードリーダライタ７３は、洗車受付装置１３のカードリーダライタ１７と同様、未使用のプリペイドカードＰを収容する図示しないカード収容部とカード挿入口とを備えている。
【００３１】
また前記事務所７１の外部でその近くには、カード発行機５１が設置されており、そのカード発行機５１のケーシング前面には操作パネル５２が設けられる。次に図４を併せて参照して、操作パネル５２の構成を具体的に説明する。
【００３２】
操作パネル５２には、その上部において紙幣挿入口５３ａ及びカード挿入口５４ａが横並びに配設され、その下側において液晶パネル等からなる表示装置５５が、更にその下側において表示ランプ５６ａを有する発券キー５６が、更にその下側において表示ランプ５７ａを有するキャンセルキー５７が、更にその下側において表示ランプ５８ａを有する領収書請求キー５８がそれぞれ配設される。更に操作パネル１４の下部には、案内用音声出力孔６１ａと領収書取出口６０とが配設される。
【００３３】
またカード発行機５１のケーシング内には、前記紙幣挿入口５３ａに挿入された紙幣を受け入れて計数する紙幣入金装置５３と、前記カード挿入口５４ａに挿入されたプリペイドカードＰに記録されているデータの読取りと同カードＰへのデータの書込みとを行うカードリーダライタ５４と、前記案内用音声出力孔６１ａに対応して案内用音声を発する内蔵スピーカ６１と、前記領収書取出口６０に対応して領収書を印刷して該口６０から排出し得るプリンタ５９とが配設される。前記紙幣入金装置５３は、新たな入金額を入力する本発明の入金額入力手段として機能するものであり、図示例では１０００円札専用の紙幣入金装置として構成され、また硬貨入金装置が設けられていない。また前記カードリーダライタ５４は、未使用のプリペイドカードＰを収容する図示しないカード収容部を備えている。
【００３４】
またカード発行機５１のケーシング内には、プリペイドカードＰの発行制御装置６２が収納されており、その発行制御装置６２は、マイクロコンピュータより構成され、本発明の記録制御手段の機能を備えている。即ち、その記録制御手段は、入金額入力手段としての紙幣入金装置５３で入力された入金額に有効期限を付加した金額・有効期限データと、リーダライタとしてのカードリーダライタ５４で読み取った金額・有効期限データとを記録媒体としての１個のプリペイドカードＰに記録するようカードリーダライタ５４を制御する。
【００３５】
次に、前記実施例の作用を説明する。
【００３６】
この実施例では、プリペイドカードＰの発行日から一定期間の最終日限として有効期限Ｄ（即ち、発行日に入金された入金額に対する有効期限）が設定されるものとする。次に種々のケースを想定して順次説明する。
［ケース１］・・・カードを持たない顧客に対してカード発行機５１によりプリペイドカードＰを発行するケース
先ず、図６のフローチャートにおいて、カード発行機５１のカード挿入口５４ａにプリペイドカードＰが挿入されたかがステップＳ１で判断される。本ケースでは、プリペイドカードＰが挿入されていないので、ステップＳ２に進む。
【００３７】
ステップＳ２において、カード発行機５１の紙幣挿入口５３ａへ紙幣が挿入されたかが判断され、挿入されていないときはステップＳ１に戻り、挿入されたときはステップＳ３に進む。
【００３８】
ステップＳ３において、カード発行機５１の紙幣挿入口５３ａへ紙幣が挿入されたかが再度、判断され、挿入されているときはステップＳ４へ進み、挿入されていないときはステップＳ５へ進む。
【００３９】
ステップＳ４において、挿入された金額を加算すると共に、挿入された入金総額Ｔを表示装置５５に表示し、ステップＳ５へ進む。
【００４０】
ステップＳ５において、発券キー５６が押されたかが判断され、押されていないときはステップＳ３へ戻り、押されたときはステップＳ６へ進む。
【００４１】
ステップＳ６において、プリペイドカードＰが挿入されたことの記憶が有るかが判断され、本ケースでは記憶が無いと判断されてステップＳ７へ進む。尚、ステップＳ６で、挿入された記憶が有ると判断されたときは、ステップＳ１３へ進むが、これについては、後述する別のケースで説明する。
【００４２】
ステップＳ７において、カードリーダライタ５４はカード収容部から未発行プリペイドカードＰを取り出し、磁気トラックＧの「新カードの有効期限データ区域Ｚ２」に、入金総額Ｔに対して設定した有効期限Ｄを新カードの有効期限Ｄｓとして記録するとともに、「新カードの残高データ区域Ｚ３」に、入金総額Ｔを新カードの残高Ｂｓとして記録し、また磁気トラックＧの「旧カードの有効期限データ区域Ｚ４」に旧カードの有効期限Ｄｋが設定されていないことを記録すると共に、「旧カードの残高データ区域Ｚ５」に旧カードの残高が０であることを記録し、さらに該プリペイドカードＰの印字部Ｐａに新カードの有効期限Ｄｓと残高Ｂｓとを印字して、ステップＳ８へ進む。このとき、例えば入金総額Ｔが１０００円であり、有効期限Ｄが２００３年１２月１日である場合は、図９（Ａ）に示すように印字がなされる。
【００４３】
ステップＳ８において、前記ステップＳ７で前述のように記録して作成したプリペイドカードＰをカード挿入口５４ａへ排出する。この排出されたプリペイドカードＰを顧客が抜き取ることで処理が終了する。
［ケース２］・・・旧カードの残高Ｂｋが０で且つ新カードの残高Ｂｓが０でない（Ｂｓ＞０）プリペイドカードＰを用いて洗車を行うケース
洗車位置Ｖ２に自動車Ｖが入っていない状態で洗車を始めるものとする。また、自動車Ｖの運転者は、前記ケース１で発行した、図９（Ａ）に示す残高Ｂｓ１０００円のプリペイドカードＰを所有し、その有効期限Ｄｓが過ぎていないとする。
【００４４】
先ず、自動車Ｖの運転者は、図１に示す洗車受付装置１３の横の受付位置Ｖ１に自動車Ｖを停止させる。次に運転者は、受付位置Ｖ１に停止している自動車Ｖから降りて、操作パネル１４と対面する操作位置ＳＰ（図１において二点鎖線で示す位置）に立つ。運転者が操作位置ＳＰに立つと、図示されていない検知装置が運転者の存在を検知し、スピーカ２７から、「カードを入れて下さい」との音声案内がなされる。
【００４５】
そこで、運転者がプリペイドカードＰを洗車受付装置１３のカード挿入口１７ａに挿入すると（図７のフローチャートのステップＳ２１）、ステップＳ２２に進んで、挿入されたプリペイドカードＰの磁気トラックＧに記録されている有効期限Ｄｓ，Ｄｋ、残高Ｂｓ，Ｂｋをカードリーダライタ１７が読み取り、ステップＳ２３へ進む。
【００４６】
ステップＳ２３において、旧カードの残高Ｂｋが０かが判断され、本ケースでは０であるので、ステップＳ２４へ進む。
【００４７】
ステップＳ２４において、新カードの有効期限Ｄｓが過ぎていないかが判断され、過ぎている場合はステップＳ２９へ進んで、プリペイドカードＰが排出され、また過ぎていない場合は、洗車選択装置１９の各選択キー２０，２１の選択操作を促すべく、それらキーのランプ２０ａ，２１ａを点滅させてからステップＳ２５へ進む。本ケースでは、有効期限Ｄｓが過ぎていないので、ステップＳ２５へ進む。
【００４８】
ステップＳ２５において、洗車選択装置１９の各選択キー２０，２１の何れかが選択操作されると、押された選択キーのランプを点灯にし、他方のランプを消灯にしてから、ステップＳ２６へ進む。
【００４９】
ステップＳ２６において、前記ステップＳ２５で押された洗車コースの料金Ｆに対して、旧カードの残高Ｂｋに新カードの残高Ｂｓを加算した合計残高Ｂ（Ｂ＝Ｂｋ＋Ｂｓ）が不足しているか（Ｂ＜Ｆ）が判断される。そして、不足しているときはステップＳ２８へ進み、現金追加等の、他の処理がなされ、また不足していないときは、ステップＳ２７へ進む。本ケースでは、不足していないので、ステップＳ２７に進む。
【００５０】
ステップＳ２７において、領収書請求キー２２が押されたか判断され、押されていないときはステップＳ３０に進み、また押されたときはステップＳ３１に進んで、領収書発行命令を記憶してからステップＳ３０へ進む。
【００５１】
ステップＳ３０において、スタートキー２３が押されたか判断され、押されていないときはステップＳ２７へ戻り、また押されたときはステップＳ３２に進む。
【００５２】
ステップＳ３２において、領収書発行命令の記憶のないときはステップＳ３３へ進み、また記憶のあるときはステップＳ３４へ進んでプリンタ２５により領収書を発行させてから、ステップＳ３３へ進む。
【００５３】
ステップＳ３３において、旧カードの残高Ｂｋが０かが判断され、本ケースでは０であるので、ステップＳ３５へ進む。
【００５４】
ステップＳ３５において、新カードの前記残高Ｂｓから前記ステップＳ２５で押された洗車コースの料金Ｆを減算した利用後残高ＵＢｓ（ＵＢｓ＝Ｂｓ−Ｆ）が新たな残高Ｂｓとなるように、プリペイドカードＰの「新カードの残高データ区域Ｚ３」に記録されている残高Ｂｓを更新し、また同カードＰの印字部Ｐａに、前記料金Ｆを利用金額Ｆとして印字し且つ利用後残高ＵＢｓを印字してから、ステップＳ３６へ進む。このとき、例えば前記ステップＳ２５で利用料金が５００円の「ワックス洗車」が選択された場合は、図９（Ｂ）に示すように印字部Ｐａに印字される。
【００５５】
ステップＳ３６において、プリペイドカードＰをカード挿入口１７ａへ排出してから、ステップＳ３７へ進む。
【００５６】
ステップＳ３７において、プリペイドカードＰが抜き取られたかが判断され、そのカードＰが抜き取られたことを抜取り検出装置（図示せず）が検出すると、ステップＳ３８へ進む。
【００５７】
ステップＳ３８において、前記ステップＳ２７で選択された「洗車コース」に対応する信号が受付制御装置２８から洗車機本体制御装置３０へ送られる。
【００５８】
次に運転者が自動車Ｖを受付位置Ｖ１から洗車位置Ｖ２へ前進移動させ、自動車Ｖの右前輪をストッパ１１に当てて停車させる。自動車Ｖが停車したことを光電センサ１２が検出すると、受付制御装置２８から送られた「洗車コース」の洗車が実行される。
［ケース３］・・・カード発行機５１により、旧カードの残高Ｂｋが０で且つ新カードの残高Ｂｓが０でない（Ｂｓ＞０）プリペイドカードＰに対し新たな残金を記録してカード発行を行うケース
このケースで、プリペイドカードＰの所有者は、前記図９（Ｂ）に示すプリペイドカードＰを所有しているものとし、また同カードＰは、「新カードの有効期限Ｄｓ」が過ぎていないものとする。
【００５９】
図６のフローチャートにおいて、カード発行機５１のカード挿入口５４ａにプリペイドカードＰが挿入されたかがステップＳ１で判断され、本ケースでは、プリペイドカードＰが挿入されるので、ステップＳ９に進む。
【００６０】
ステップＳ９において、プリペイドカードＰがカード挿入口５４ａに挿入されたことを記憶してから、ステップＳ１０へ進む。
【００６１】
ステップＳ１０において、カードリーダライタ５４は、挿入されたプリペイドカードＰの磁気トラックＧに記録されている「新カードの有効期限Ｄｓ及び残高Ｂｓ」並びに「旧カードの有効期限Ｄｋ及び残高Ｂｋ」を読み取り、ステップＳ１１へ進む。
【００６２】
ステップＳ１１において、旧カードの残高Ｂｋが０かが判断され、０でないときはステップＳ１２へ進み、０であるときはステップＳ３へ進む。本ケースでは０であるので、ステップＳ３へ進む。
【００６３】
ステップＳ３〜Ｓ５は、前記ケース１と同様である。
【００６４】
ステップＳ６において、プリペイドカードＰが挿入されたことの記憶が有るかが判断され、本ケースでは記憶が有るので、ステップＳ１３へ進む。
【００６５】
ステップＳ１３において、新カードの残高Ｂｓが０かが判断され、０のときはステップＳ１６へ進み、また０でないときはステップＳ１４へ進む。本ケースでは０でないので、ステップＳ１４へ進む。
【００６６】
ステップＳ１４において、新カードの有効期限Ｄｓが過ぎていないかが判断され、過ぎている場合はステップＳ１６へ進み、また過ぎていない場合はステップＳ１５へ進む。本ケースでは過ぎていないので、ステップＳ１５へ進む。
【００６７】
ステップＳ１５において、前記ステップＳ１０で読み取った「新カードの有効期限Ｄｓ及び残高Ｂｓ」が旧カードの新たな有効期限Ｄｋ及び残高Ｂｋとなるように、「旧カードの有効期限データ区域Ｚ４」及び「旧カードの残高データ区域Ｚ５」にそれぞれ記録されている有効期限Ｄｋ及び残高Ｂｋを更新すると共に、今回の入金総額Ｔに対して設定した有効期限Ｄが新カードの新たな有効期限Ｄｓとなるように、「新カードの有効期限データ区域Ｚ２」に記録されている有効期限Ｄｓを更新し、また今回の入金総額Ｔが新カードの新たな残高Ｂｓとなるように、「新カードの残高データ区域Ｚ３」に記録されている残高Ｂｓを更新する。そして、同プリペイドカードＰの印字部Ｐａに更新後の「新カードの有効期限Ｄｓ及び残高Ｂｓ」並びに「旧カードの有効期限Ｄｋ及び残高Ｂｋ」を印字して、ステップＳ８へ進む。このとき、例えば入金総額Ｔが２０００円であり、その入金総額Ｔ（２０００円）に対して設定した有効期限Ｄが２００３年１２月２７日である場合は、図９（Ｃ）に示すように印字がなされる。
【００６８】
ステップＳ８は、前記ケース１と同じである。
【００６９】
尚、前記ステップＳ１２において、旧カードの有効期限Ｄｋが過ぎている場合は、ステップＳ３へ進み、また過ぎていない場合はステップＳ８へ進む。
【００７０】
また、ステップＳ１３，Ｓ１４からステップＳ１６に進んだ場合は、ステップＳ１６において、今回の入金総額Ｔに対して設定した有効期限Ｄが新カードの新たな有効期限Ｄｓとなるように、「新カードの有効期限データ区域Ｚ２」に記録されている有効期限Ｄｓを更新し、また今回の入金総額Ｔが新カードの新たな残高Ｂｓとなるように、「新カードの残高データ区域Ｚ３」に記録されている残高Ｂｓを更新する。また「旧カードの有効期限データ区域Ｚ４」に記録されている有効期限Ｄｋをクリア、即ち設定無しとすると共に、「旧カードの残高データ区域Ｚ５」に記録されている残高Ｂｋを０に更新する。そして、同プリペイドカードＰの印字部Ｐａに更新後の「新カードの有効期限Ｄｓ及び残高Ｂｓ」を印字して、ステップＳ８へ進む。このとき、例えば入金総額Ｔが１０００円であり、その入金総額Ｔ（１０００円）に対して設定した有効期限Ｄが２００３年１２月１日である場合（尚、このステップＳ１６の例では、更新前の有効期限Ｄｓは２００３年１２月１日よりも前とする）は、図９（Ａ）に示すように印字がなされる。
［ケース４］・・・旧カードの残高Ｂｋが洗車料金Ｆに対し不足していない（Ｂｋ≧Ｆ）プリペイドカードＰを用いて洗車を行うケース
洗車位置Ｖ２に自動車Ｖが入っていない状態で洗車を始めるものとする。また、自動車Ｖの運転者は、前記ケース３で発行した、図９（Ｃ）に示す残高Ｂｋ５００円のプリペイドカードＰを所有し、その有効期限Ｄｋが過ぎていないものとする。
【００７１】
図７のフローチャートにおいて、ステップＳ２１，Ｓ２２は、前記ケース２（即ち旧カードの残高Ｂｋが０で且つ新カードの残高Ｂｓが０でない（Ｂｓ＞０）プリペイドカードを用いて洗車を行うケース）と同じである。
【００７２】
ステップＳ２３において、旧カードの残高Ｂｋが０かが判断され、本ケースでは０でないので、ステップＳ３８へ進む。
【００７３】
ステップＳ３８において、旧カードの有効期限Ｄｋが過ぎていないかが判断され、過ぎている場合はステップＳ２４へ進み、また過ぎていない場合は、洗車選択装置１９の各選択キー２０，２１の選択操作を促すべく、それらキーのランプ２０ａ，２１ａを点滅させてからステップＳ２５へ進む。本ケースでは、有効期限Ｄｋが過ぎていないので、ステップＳ２５へ進む。
【００７４】
ステップＳ２５〜Ｓ２８、Ｓ３０〜Ｓ３４は、前記ケース２と同じである。
【００７５】
ステップＳ３３において、旧カードの残高Ｂｋが０かが判断され、本ケースでは０でないので、ステップＳ４０へ進む。
【００７６】
ステップＳ４０において、旧カードの残高Ｂｋが前記ステップＳ２５で押された洗車コースの料金Ｆに対して不足していない（Ｂｋ≧Ｆ）かが判断され、このケースでは、不足していないのでステップＳ４１へ進む。
【００７７】
ステップＳ４１において、旧カードの前記残高Ｂｋから前記料金Ｆを減算した利用後残高ＵＢｋ（ＵＢｋ＝Ｂｋ−Ｆ）が新たな残高Ｂｋとなるように、プリペイドカードＰの「旧カードの残高データ区域Ｚ５」に記録されている残高Ｂｋを更新し、また同カードＰの印字部Ｐａに、利用金額Ｆｋ（Ｆｋ＝Ｆ）および利用後残高ＵＢｋを印字してから、ステップＳ３６へ進む。このとき、例えば前記ステップＳ２５で利用料金が３００円の「シャンプー洗車」が選択された場合は、図９（Ｄ）に示すように印字部Ｐａに印字される。
【００７８】
ステップＳ３６〜Ｓ３８は、前記ケース２と同じである。
［ケース５］・・・・旧カードの残高Ｂｋが０でなく且つ洗車料金Ｆに対し不足している（Ｆ＞Ｂｋ＞０）プリペイドカードＰを用いて洗車を行うケース
洗車位置Ｖ２に自動車Ｖが入っていない状態で洗車を始めるものとする。また、自動車Ｖの運転者は、前記ケース４で発行した、図９（Ｄ）に示す旧カードの残高Ｂｋ２００円、新カードの残高２０００円ののプリペイドカードＰを所有し、有効期限Ｄｋ，Ｄｓが過ぎていないものとする。
【００７９】
図７，８のフローチャートにおいて、ステップＳ２１〜Ｓ３３は、前記ケース４（即ち旧カードの残高Ｂｋが洗車料金Ｆに対し不足していない（Ｂｋ≧Ｆ）プリペイドカードを用いて洗車を行うケース）と同じである。
【００８０】
ステップＳ４０において、旧カードの残高Ｂｋが前記ステップＳ２５で押された洗車コースの料金Ｆに対して不足していない（Ｂｋ≧Ｆ）かが判断され、このケースでは、不足しているのでステップＳ４２へ進む。
【００８１】
ステップＳ４２において、プリペイドカードＰの「旧カードの残高データ区域Ｚ５」に記録されている残高Ｂｋを０に更新すると共に、前記ステップＳ２５で押された洗車コースの料金Ｆから、旧カードの更新前の残高Ｂｋを減算した不足額Ｓ（Ｓ＝Ｆ−更新前のＢｋ）を算出し、前記ステップＳ２２で読み取った新カードの残高Ｂｓから前記不足額Ｓを減算した利用後残高ＵＢｓ（ＵＢｓ＝Ｂｓ−Ｓ）が新たな残高Ｂｓとなるように、プリペイドカードＰの「新カードの残高データ区域Ｚ３」に記録されている残高Ｂｓを更新する。そして同プリペイドカードＰの印字部Ｐａに、旧カードの更新前の残高Ｂｋからの利用金額Ｆｋ（Ｆｋ＝Ｆ−Ｓ）と、旧カードの利用後残高ＵＢｋ（ＵＢｋ＝０）と、新カードの更新前の残高Ｂｓからの利用金額Ｆｓ（Ｆｓ＝Ｓ）と、新カードの利用後残高ＵＢｓとを印字してから、ステップＳ３６へ進む。このとき、例えば前記ステップＳ２５で利用料金が５００円の「ワックス洗車」が選択された場合は、図１０（Ａ）に示すように印字部Ｐａに印字される。
【００８２】
ステップＳ３６〜Ｓ３８は、前記ケース２（即ち旧カードの残高Ｂｋが０で且つ新カードの残高Ｂｓが０でない（Ｂｓ＞０）プリペイドカードを用いて洗車を行うケース）と同じである。
［ケース６］・・・図１０（Ａ）の如く印字部Ｐａにおける旧カードの利用後残高ＵＢｋに０が印字され且つ旧カードの残高Ｂｋが０で新カードの残高Ｂｓが０でない（Ｂｓ＞０）プリペイドカードＰを用いて洗車を行うケース
そのプリペイドカードＰは新カードの有効期限Ｄｓが過ぎていないものとする。
【００８３】
図７，８のフローチャートにおいて、ステップＳ２１〜Ｓ３３は、前記ケース２（即ち旧カードの残高Ｂｋが０で且つ新カードの残高Ｂｓが０でない（Ｂｓ＞０）プリペイドカードを用いて洗車を行うケース）と同じである。
【００８４】
ステップＳ３５において、ステップＳ２２で読み取った新カードの前記残高Ｂｓから、前記ステップＳ２５で押された洗車コースの料金Ｆを減算した利用後残高ＵＢｓ（ＵＢｓ＝Ｂｓ−Ｆ）が新たな残高Ｂｓとなるように、プリペイドカードＰの「新カードの残高データ区域Ｚ３」に記録されている残高Ｂｓを更新し、また同カードＰの印字部Ｐａに、新カードの有効期限Ｄｓ及び更新前の残高Ｂｓと、利用金額Ｆ及び利用後残高ＵＢｓとを印字してから、ステップＳ３６へ進む。このとき、例えば前記ステップＳ２５で利用料金が３００円の「シャンプー洗車」が選択された場合は、図１０（Ｂ）に示すように印字部Ｐａに印字される。
【００８５】
ステップＳ３６〜Ｓ３８は、前記ケース２と同じである。
［ケース７］・・・カード発行機５１により、図１０（Ａ）の如く印字部Ｐａにおける旧カードの利用後残高ＵＢｋに０が印字され且つ旧カードの残高Ｂｋが０で新カードの残高Ｂｓが０でない（Ｂｓ＞０）プリペイドカードＰに対し新たな残金を記録してカード発行を行うケース
このプリペイドカードＰは新カードの有効期限Ｄｓが過ぎていないものとする。
【００８６】
図６のフローチャートにおいて、ステップＳ１〜Ｓ１４は、前記ケース３（即ち、旧カードの残高Ｂｋが０で且つ新カードの残高Ｂｓが０でない（Ｂｓ＞０）プリペイドカードＰに対しカード発行機５１で新たな残金を記録してカード発行を行うケース）と同じである。
【００８７】
ステップＳ１５において、前記ステップＳ１０で読み取った「新カードの有効期限Ｄｓ及び残高Ｂｓ」が旧カードの新たな有効期限Ｄｋ及び残高Ｂｋとなるように、「旧カードの有効期限データ区域Ｚ４」及び「旧カードの残高データ区域Ｚ５」にそれぞれ記録されている有効期限Ｄｋ及び残高Ｂｋを更新すると共に、今回の入金総額Ｔに対して設定した有効期限Ｄが新カードの新たな有効期限Ｄｓとなるように、「新カードの有効期限データ区域Ｚ２」に記録されている有効期限Ｄｓを更新し、また今回の入金総額Ｔが新カードの新たな残高Ｂｓとなるように、「新カードの残高データ区域Ｚ３」に記録されている残高Ｂｓを更新する。そして、同プリペイドカードＰの印字部Ｐａに更新後の「新カードの有効期限Ｄｓ及び残高Ｂｓ」並びに「旧カードの有効期限Ｄｋ及び残高Ｂｋ」を印字して、ステップＳ８へ進む。このとき、例えば入金総額Ｔが２０００円であり、その入金総額Ｔ（２０００円）に対して設定した有効期限Ｄが２００４年１月２０日である場合は、図１０（Ｃ）に示すように印字がなされる。
【００８８】
ステップＳ８は、前記ケース１（即ちカードを持たない顧客に対しプリペイドカードＰを新たに発行するケース）と同じである。
次に、事務所７１内のパソコン７２で、プリペイドカードＰを発行する場合を図１１のフローチャートに基づいて説明する。尚、このケースでは、パソコン７２が本発明の記録制御手段を構成し、またパソコン７２のキーボード７４が本発明の入金額制御手段を構成する。
【００８９】
このフローチャートは、前記図６のフローチャートにおけるステップＳ１，Ｓ２がステップＳ１ｐ，Ｓ２ｐにそれぞれ変更され、またステップＳ３，Ｓ４，Ｓ５がステップＳ３ｐに変更されている。
［ケース８］・・・カードを持たない顧客に対して、パソコン７２でプリペイドカードＰを発行するケース
先ず、パソコン７２のカード発行アプリケーションが立ち上げられ、ディスプレー７５に新規発行のときに押すキーと、追加発行のときに押すキーの案内が表示される。
【００９０】
ステップＳ１ｐにおいて、新規発行か否かが判断され、このケースでは、新規発行キーが押されるので、ディスプレー７５に入金額をキーボード７４で入力するよう案内を表示してから、ステップＳ３ｐに進む。
【００９１】
ステップＳ３ｐにおいて、入金額が入力され、キーボード７４のEnter キーが押されると、ステップＳ６に進む。
【００９２】
ステップＳ６〜Ｓ８は、前記ケース１（即ちカード発行機５１でプリペイドカードＰを発行するケース）と同じである。但し、ステップＳ７中「カードリーダライタ５４」とあるのは「カードリーダライタ７３」と、またステップＳ８中「カード挿入口５４ａ」とあるのは「カードリーダライタ７３のカード挿入口」とそれぞれ読み替えるものとする。
［ケース９］・・・パソコン７２により、旧カードの残高Ｂｋが０で且つ新カードの残高Ｂｓが０でない（Ｂｓ＞０）プリペイドカードＰに対し新たな残金を記録してカード発行を行うケース
このケースで、プリペイドカードＰの所有者は、前記図９（Ｂ）に示すプリペイドカードＰを所有しているものとし、また同カードＰは「新カードの有効期限Ｄｓ」が過ぎていないものとする。
【００９３】
図１１のフローチャートのステップＳ１ｐにおいて、新規発行か否かが判断され、このケースでは、追加発行キーが押されるので、ディスプレー７５に、プリペイドカードＰをカードリーダライタ７３に挿入するよう案内を表示してから、ステップＳ２ｐに進む。
【００９４】
ステップＳ２ｐにおいて、プリペイドカードＰがカードリーダライタ７３に挿入されると、ステップＳ９に進む。
【００９５】
ステップＳ９〜Ｓ１１は、前記ケース３（即ち旧カードの残高Ｂｋが０で且つ新カードの残高Ｂｓが０でない（Ｂｓ＞０）プリペイドカードＰに対しカード発行機５１で新たな残金を記録してカード発行を行うケース）と同じである。但し、ステップＳ９中「カード挿入口５４ａ」とあるのは「カードリーダライタ７３のカード挿入口」と、またステップＳ１０中「カードリーダライタ５４」とあるのは「カードリーダライタ７３」と、またステップＳ１１中「ステップＳ３」とあるのは「ステップＳ３ｐ」とそれぞれ読み替えるものとする。
【００９６】
ステップＳ３ｐにおいて、入金額が入力され、キーボード７４のEnter キーが押されると、ステップＳ６に進む。
【００９７】
ステップＳ６，Ｓ１３〜Ｓ１５，Ｓ８は、前記ケース３と同じである。但し、ステップＳ８中「カード挿入口５４ａ」とあるのは「カードリーダライタ７３のカード挿入口」と読み替えるものとする。
［ケース１０］・・・パソコン７２により、図１０（Ａ）の如く印字部Ｐａにおける旧カードの利用後残高ＵＢｋに０が印字され且つ旧カードの残高Ｂｋが０で新カードの残高Ｂｓが０でない（Ｂｓ＞０）プリペイドカードＰに対し新たな残金を記録してカード発行を行うケース
このケースで、プリペイドカードＰは「新カードの有効期限Ｄｓ」が過ぎていないものとする。
【００９８】
ステップＳ１ｐ，Ｓ２ｐ，Ｓ９〜Ｓ１１，Ｓ３ｐ，Ｓ６，Ｓ１３およびＳ１４は、前記ケース９（即ち旧カードの残高Ｂｋが０で且つ新カードの残高Ｂｓが０でない（Ｂｓ＞０）プリペイドカードＰに対しパソコン７２で新たな残金を記録してカード発行を行うケース）と同じである。
【００９９】
またステップＳ１５，Ｓ８は、前記ケース７（即ち図１０（Ａ）の如く印字部Ｐａにおける旧カードの利用後残高ＵＢｋに０が印字され且つ旧カードの残高Ｂｋが０で新カードの残高Ｂｓが０でない（Ｂｓ＞０）プリペイドカードＰに対し、カード発行機５１で新たな残金を記録してカード発行を行うケース）と同じである。但し、ステップＳ８中「カード挿入口５４ａ」とあるのは「カードリーダライタ７３のカード挿入口」と読み替えるものとする。
而して前記実施例の作用からも明らかなように、従来は複数のプリペイドカードＰ…を用いて行っていたデータ（金額・有効期限）の管理を１つのプリペイドカードＰで纏めて行うことが可能となるので、使用者は、従来のように予備のプリペイドカードを事前に準備したり或いは余分に持ち歩く必要がなく、その保管、管理が容易となり、しかも料金精算に当たり只１つのプリペイドカードＰを取り扱うだけで足りるため、その取り扱い操作が頗る簡便となり、それらの結果、金額データと有効期限とを記録したプリペイドカードの使い勝手を良くすることができる。
【０１００】
その上、洗車料金の精算に当たり只１つのプリペイドカードＰを取り扱うだけで済むことから、従来のように新・旧カードを所定の手順でカードリーダライタに挿入するようにした精算方式と比べて、洗車料金を精算するための時間、延いては洗車の総所要時間を短縮化する上で有利であり、洗車機の稼働効率アップに寄与することができる。
【０１０１】
また本実施例のように、プリペイドカードＰの磁気トランクＧに、先に入金がなされた旧カード分の記録データ（残高Ｂｋ、有効期限Ｄｋ）と、後に入金がなされた新カード分の記録データ（残高Ｂｓ、有効期限Ｄｓ）とを別々に記録できるようにしたので、有効期限が相異なる新・旧カード分の記録データを個別に管理できる。しかもその旧カード分の記録データ（残高Ｂｋ、有効期限Ｄｋ）と、新カード分の記録データ（残高Ｂｓ、有効期限Ｄｓ）とをプリペイドカードＰの印字部Ｐａに区分けして印字しているので、カード使用者は、カードの記録情報を容易且つ明確に確認することができる。
【０１０２】
以上、本発明の実施例について説明したが、本発明はその実施例に限定されることなく、本発明の範囲内で種々の実施例が可能である。
【０１０３】
例えば、前記実施例では、記録媒体としてプリペイドカードＰを用いたが、本発明では、記録データの読取り及び書込みが可能な、プリペイドカード以外の種々の記録媒体、例えばＩＣカード、非接触ＩＣカード等の使用が可能であり、それら記録媒体の種類に応じてリーダライタも適宜選択される。
【０１０４】
また、本実施例では、洗車受付装置１３とは別個のカード発行機５１又はパソコン７２を利用し、入金額入力手段５４，７４で任意に入金額の入力を行うことにより新カード分へのデータ書込みを可能としているが、本発明では、洗車受付制御装置２８にカード発行機５１の機能を兼備させて新カード分へのデータ書込みを行えるようにしてもよい。
【０１０５】
また前記実施例では、プリペイドカードＰの磁気トラックＧにおいて、金額データと有効期限データとを対応付けた「金額・有効期限データ」が、旧カード分と新カード分の２セットを記録する区域に割り付けられているものを示したが、本発明では、磁気トラックＧに、有効期限が相異なる３セット以上の「金額・有効期限データ」を記録する区域を割り付けるようにしてもよく、その場合には、料金の精算は、最先に入金されたもの（即ち有効期限が最も先にくるもの）から順に行われる。
【図面の簡単な説明】
【０１０６】
【図１】本発明の実施例に係る洗車機を含む洗車エリアの全体平面図
【図２】前記洗車機の全体側面図
【図３】前記洗車機の洗車受付装置の操作パネルを示す拡大正面図
【図４】カード発行機の操作パネルを示す拡大正面図
【図５】プリペイドカードにおける磁気トラックの区割りを示す概略図
【図６】カード発行機でのカード発行・書換の処理手順の一例を示すフローチャート
【図７】洗車機の洗車受付のための処理手順の一例を示すフローチャートの第１分図
【図８】洗車機の洗車受付のための処理手順の一例を示すフローチャートの第２分図
【図９】記録媒体としてのプリペイドカードの印字部分の印字例を示す正面図
【図１０】記録媒体としてのプリペイドカードの印字部分の印字例を示す正面図
【図１１】パソコンでのカード発行・書換の処理手順の一例を示すフローチャート
【符号の説明】
【０１０７】
Ｇ・・・・磁気トラック
Ｐ・・・・プリペイドカード（記録媒体）
１７・・・カードリーダライタ（リーダライタ）
２８・・・洗車受付制御装置（精算制御手段）
５３・・・紙幣入金装置（入金額入力手段）
５４・・・カードリーダライタ（リーダライタ）
６２・・・発行制御装置（記録制御手段）
７２・・・パソコン（記録制御手段）
７３・・・カードリーダライタ（リーダライタ）
７４・・・キーボード（入金額入力手段）
【図１】
2005044290.tif 000003
【図２】
2005044290.tif 000004
【図３】
2005044290.tif 000005
【図４】
2005044290.tif 000006
【図５】
2005044290.tif 000007
【図６】
2005044290.tif 000008
【図７】
2005044290.tif 000009
【図８】
2005044290.tif 000010
【図９】
2005044290.tif 000011
【図１０】
2005044290.tif 000012
【図１１】
2005044290.tif 000013